(57)【特許請求の範囲】
【請求項１】
少なくとも３以上の奇数の層と、
前記層のそれぞれに形成され、一方向に長くなるよう巻回されたコイルと、
前記層の一つである第一層における第一コイルの内端に前記一方向の一端側で接続された第一端子部と、
前記層の他の一つである第二層における第二コイルの前記一方向の一端側の外側に設けられた第二端子部と、
前記第一端子部と前記第二端子部とを接続するスルーホール部と、を有し、
前記第一コイルは、前記第二コイルと比較して前記一方向の一端側における長さが長い積層コイル。
【請求項２】
前記第二端子部は、前記コイルに給電する配線に接続されている請求項１記載の積層コイル。
【請求項３】
前記第二端子部は、前記コイルの外部に形成された他のコイルに接続されている請求項１記載の積層コイル。
【請求項４】
前記層のさらに他の一つである第三層における第三コイルの内端に接続された第三端子部と、前記第二コイルの内端に接続された第四端子部と、前記第三端子部と前記第四端子部とを接続する他のスルーホール部と、を有する請求項１乃至３いずれか記載の積層コイル。
【請求項５】
前記第一コイルの外端に接続された第五端子部と、前記第一層に隣接する前記層の一つに形成された前記コイルの外端に接続された第六端子部と、前記第五端子部と前記第六端子部とを接続するさらに他のスルーホール部と、を有する請求項４記載の積層コイル。
【請求項６】
請求項１乃至５いずれか記載の積層コイルと、前記積層コイルに光軸方向で対向する磁石とを有し、前記積層コイルの層は光軸方向に積層されているレンズ駆動装置。
【請求項７】
請求項６記載のレンズ駆動装置と、前記磁石内に配置されたレンズ支持体と、前記レンズ支持体に支持されたレンズと、前記レンズからの光を受ける受光センサと、を備えたカメラ装置。
【請求項８】
請求項７記載のカメラ装置を備えた電子機器。
【発明の詳細な説明】
【技術分野】
【０００１】
本発明は、積層コイル、レンズ駆動装置、カメラ装置及び電子機器に関する。
【背景技術】
【０００２】
携帯電話やスマートフォン等の電子機器には、小型カメラが搭載されている。この種の小型カメラには、手振れ補正を行うものがある。手振れ補正を行う小型カメラには、レンズを駆動するレンズ駆動装置が設けられている。
【０００３】
手振れ補正には、レンズ駆動装置に設けられたレンズ保持体を含む移動体を光軸方向と直交する方向に動かして行う方式がある。このような方式のレンズ駆動装置には、移動体を動かすために磁石とコイルが用いられる。
【０００４】
一般的な電子機器においては、特許文献１に開示されているように、複数の層のそれぞれにプリントコイルを形成し、これらプリントコイル間をスルーホール部で接続した積層コイルが知られている。
【先行技術文献】
【特許文献】
【０００５】
【特許文献１】特開２０１４−２３２８３７号公報
【発明の概要】
【発明が解決しようとする課題】
【０００６】
例えばレンズ駆動装置に積層コイルを用いる場合、積層数を増せば移動体を移動させる推力が向上する一方、積層方向の厚さが厚くなる。このため、積層数を推力と厚さとのバランスを考慮して設計する必要がある。
【０００７】
しかしながら、従来においては、積層コイルの積層数は偶数が一般的であって、奇数の積層数とすることは容易ではなかった。その理由は、外部の配線と接続する端子部をコイルの外部に設ける場合、偶数層であれば、例えば「外部配線の端子部→一層目のコイルの巻き始め（外）→一層目のコイルの巻き終わり（内）→二層目のコイル巻き始め（内）→二層目の巻き終わり（外）→外部配線の端子部」とすれば良いので、問題がない。ところが、奇数層であれば、例えば「外部配線の端子部→一層目のコイルの巻き始め（外）→一層目のコイルの巻き終わり（内）→二層目のコイル巻き始め（内）→二層目の巻き終わり（外）→三層目のコイル巻き始め（外）→三層目のコイル巻き終わり（内）」となって、三層目のコイル巻き終わりがコイル内となるので、外部配線と接続する場合は、三層目のコイルを乗り越えなければならず、例えばもう一層設けなければならない等の問題があった。
【０００８】
本発明は、上記従来の問題点を解消し、奇数層からなる積層コイルを容易に形成することができるようにし、さらにこの積層コイルを用いたレンズ駆動装置、カメラ装置及び電子機器を提供することを目的とする。
【課題を解決するための手段】
【０００９】
本発明の一つの態様は積層コイルであり、少なくとも３以上の奇数の層と、前記層のそれぞれに形成され、一方向に長くなるよう巻回されたコイルと、前記層の一つである第一層における第一コイルの内端に前記一方向の一端側で接続された第一端子部と、前記層の他の一つである第二層における第二コイルの前記一方向の一端側の外側に設けられた第二端子部と、前記第一端子部と前記第二端子部とを接続するスルーホール部と、を有し、前記第一コイルは、前記第二コイルと比較して前記一方向の一端側における長さが長い。
【００１０】
好適には、前記第二端子部は、前記コイルに給電する配線に接続されている。  
【００１１】
また、好適には、前記第二端子部は、前記コイルの外部に形成された他のコイルに接続されている。
【００１２】
好適には、前記層のさらに他の一つである第三層における第三コイルの内端に接続された第三端子部と、前記第二コイルの内端に接続された第四端子部と、前記第三端子部と前記第四端子部とを接続する他のスルーホール部と、を有する。
【００１３】
好適には、前記第一コイルの外端に接続された第五端子部と、前記第一層に隣接する前記層の一つに形成された前記コイルの外端に接続された第六端子部と、前記第五端子部と前記第六端子部とを接続するさらに他のスルーホール部と、を有する。
【００１４】
本発明の他の態様は、前記積層コイルと、前記積層コイルに光軸方向で対向する磁石とを有し、前記積層コイルの層は光軸方向に積層されているレンズ駆動装置である。
【００１５】
本発明の他の態様は、前記レンズ駆動装置と、ヨーク内に配置されたレンズ支持体と、前記レンズ支持体に支持されたレンズと、前記レンズからの光を受ける受光センサと、を備えたカメラ装置である。
【００１６】
本発明のさらに他の態様は、前記カメラ装置を搭載した電子機器である。
【発明の効果】
【００１７】
本発明によれば、第一コイルを第二コイルよりも長くし、第一コイルの内端と接続された第一端子部と、第二コイルの外側に設けられた第二端子部とをスルーホール部を介して接続したので、容易に奇数層からなる積層コイルを形成することができ、さらにこの積層コイルを用いたレンズ駆動装置、カメラ装置及び電子機器を提供することができる。
【図面の簡単な説明】
【００１８】
【図１】本発明の第一実施形態に係るレンズ駆動装置を示す分解斜視図である。
【図２】本発明の第一実施形態に係るレンズ駆動装置を示し、シールドケースを除いた斜視図である。
【図３】本発明の第一実施形態に係るレンズ駆動装置を示し、図２のＡ−Ａ線断面図である。
【図４】本発明の第一実施形態に係るレンズ駆動装置を示し、図２のＢ−Ｂ線断面図である。
【図５】本発明の第一実施形態に係る積層コイルを示す平面図である。
【図６】本発明の第二実施形態に係る積層コイルを示す平面図である。
【図７】本発明の第一実施形態及び第二実施形態に係る積層コイルに基づいて構成した実施例を示す平面図である。
【発明を実施するための形態】
【００１９】
本発明の実施形態を図面に基づいて説明する。
まず、レンズ駆動装置の概要について説明する。
図１乃至図４において、本発明の第一実施形態に係るレンズ駆動装置１０を示す。
レンズ駆動装置１０は、図１に最も良く示すように、シールドケース１２、上方ばね部材１４、磁石ホルダ１６、ヨーク１８、磁石２０、レンズ支持体２２、光軸方向駆動用コイル２４、下方ばね部材２６、支持ワイヤ２８、プリントコイル基板３０、配線基板３２及びベース３４を有する。
なお、この明細書においては、便宜上、レンズ駆動装置１０の光軸方向の一方を上方、他方を下方と称する。
【００２０】
シールドケース１２は、例えばステンレス等の非磁性材料から構成され、上方から見た外形が四角形状に形成されていると共に、円形の第一孔３６が設けられ、この第一孔３６を介して光が通過する。このシールドケース１２と、このシールドケース１２の下部に取り付けられたベース３４とにより、レンズ駆動装置１０の周囲が覆われている。
【００２１】
上方ばね部材１４は、図２に最も良く示すように、２つの部位に分割され、それぞれ磁石ホルダ側固定部３８と、レンズ支持体側固定部４０と、磁石ホルダ側固定部３８とレンズ支持体側固定部４０とを接続する弾性腕部４２と、を有する。上方ばね部材１４は、磁石ホルダ側固定部３８からさらに外方に向けて環状に突出した支持ワイヤ固定部４４を有する。磁石ホルダ側固定部３８は、磁石ホルダ１６の四隅において、磁石ホルダ１６に形成された磁石ホルダ側突起部４６に嵌合して接着剤等を介して固定されている。レンズ支持体２２の上面には、レンズ支持体側突起部４８が形成され、このレンズ支持体側突起部４８にレンズ支持体側固定部４０が嵌合し、接着剤等を介して固定されている。弾性腕部４２は、磁石ホルダ側固定部３８の磁石ホルダ側突起部４６近傍からレンズ支持体側突起部４８へ向けて蛇行しながら隣りの隅に向けて延び、レンズ支持体側固定部４０のレンズ支持体側突起部４８近傍に接続されている。
【００２２】
ヨーク１８は、磁性体であり、上方から見て四角形状に形成され、該ヨーク１８の上端が磁石ホルダ１６に接着剤等を介して固定されている。磁石２０は、４つの直方体形状の断片から構成され、磁石ホルダ１６の四辺下面に固定されている。この磁石２０の外面は、ヨーク１８の内面に接着剤等を介して固定されている。
【００２３】
レンズ支持体２２は、円筒状の支持本体部５０と、この支持本体部５０の外周面から外側に隆起した複数のコイル固定部５２と、支持本体部５０の外周面からフランジ状に突出したフランジ部５４とを有する。支持本体部５０は、内側に例えばねじが形成され、図示しないレンズがねじ止めされるようになっている。
【００２４】
光軸方向駆動用コイル２４は、例えば銅等の芯線が巻かれて四角形の枠体として形成されている。この光軸方向駆動用コイル２４は、レンズ支持体２２のフランジ部５４の下面とコイル固定部５２の外面とに接触し、レンズ支持体２２に固定されている。この光軸方向駆動用コイル２４の外面は、磁石２０のそれぞれの内面に対向している。また、この光軸方向駆動用コイル２４の一端は２つの部位に分割された上部ばね部材１４の一方に、他端は上部ばね部材１４の他方にそれぞれ電気的に接続されている。
【００２５】
下方ばね部材２６は、上方ばね部材１４と同様の構成を有し、磁石ホルダ側固定部５６と、レンズ支持体側固定部５８と、磁石ホルダ側固定部５６とレンズ支持体側固定部５８とを接続する弾性腕部６０とを有する。磁石ホルダ側固定部５６は、磁石ホルダ１６の下部四隅に接着剤等を介して固定されている。レンズ支持体側固定部５８は、レンズ支持体２２の下面に接着剤等を介して固定されている。レンズ支持体２２は、上方ばね部材１４と下方ばね部材２６により上下方向で挟む形になっており、磁石ホルダ１６に対して上下動自在であるように支持されている。
【００２６】
プリントコイル基板３０は、四角形の枠体として形成され、このプリントコイル基板の四辺には、それぞれ積層コイル６２が設けられている。積層コイル６２は、磁石２０の下面に対向し、ヨーク１８及び磁石２０と共に手振れ補正用のアクチュエータを構成している。
【００２７】
配線基板３２には、外部接続端子６４が配線基板３２の一辺で下方に突出するように形成されている。この外部端子６４は、シールドケース１２に形成された外部端子用凹部６６を介して外部に露出するようになっている。
【００２８】
ベース３４は、シールドケース１２の下方にあってシールドケース１２の内側に固定される。このベース３４には、円形の第二孔６８が設けられ、この第二孔６８を介して光が通過する。
【００２９】
ベース３４の上方には、配線基板３２が固定され、さらに配線基板３２の上方にプリントコイル基板３０が固定される。
【００３０】
上記上方ばね部材１４、磁石ホルダ１６、ヨーク１８、磁石２０、レンズ支持体２２、光軸方向駆動用コイル２４及び下方ばね部材２６は、一つの移動体７０を構成している。この移動体７０は、該移動体７０の四隅で４本の支持ワイヤ２８に支持されている。
【００３１】
即ち、支持ワイヤ２８は、弾性変形可能な細線から構成され、図２、図４に示すように、該支持ワイヤ２８の一端が配線基板３２に固定され、他端が上部ばね部材１４の支持ワイヤ固定部４４に固定されている。支持ワイヤ２８は、弾性変形可能であるから、光軸方向と直交する方向で移動体７０が平行に移動できるように移動体７０を支持している。
【００３２】
支持ワイヤ２８のうちの２本は配線を兼ねている。即ち、配線基板３２の外部接続端子６４から入った光軸方向調整用の電流は、支持ワイヤ２８の一つを介して２つの部位に分割された上部ばね部材１４の一方を介して光軸方向駆動用コイル２４に流れ、さらに上部ばね部材１４の他方及び支持ワイヤ２８を介して配線基板３２の外部接続端子６４から出るようになっている。
【００３３】
前述したレンズ支持体２２には、レンズが支持される。レンズ支持体２２にレンズが支持されたレンズ駆動装置１０は、カメラ装置に搭載される。カメラ装置においては、被写体からこのレンズを介して入力された光は受光センサにより検出される。被写体のピントを合せるためのレンズの移動量がカメラに備えられたコントローラにより演算される。このコントローラは、レンズの移動量に対応した電流が光軸方向駆動用コイル２４に流れるように制御する。光軸方向駆動用コイル２４に電流が流れると、磁石２０からの磁束によって、光軸方向駆動用コイル２４には上方又は下方へ移動しようとする電磁力が生じる。光軸方向駆動用コイル２４に電磁力が生じると、レンズが該コイル２４及びレンズ支持体２２と共に、上方ばね部材１４と下方ばね部材２６に抗して移動し、ピントが合せられる。
【００３４】
また、カメラ装置に手振れが生じると、図示しないセンサを介してずれ方向と量が検出され、次に詳しく説明する積層コイル６２に通電され、移動体７０に電磁力を生じさせ、支持ワイヤ２８の弾性力に抗して光軸方向と直交する方向に移動させ、補正がなされるようになっている。
【００３５】
次に積層コイル６２について詳述する。
図５に積層コイル６２の第一実施形態が示されている。
この積層コイル６２は、３つ以上の奇数の層、この実施形態においては、例えば３つの層７２ａ、７２ｂ、７２ｃからなる。
【００３６】
第一層７２ａは、最も上方に位置し、第二層７２ｂは最も下方に位置し、第三層７２ｃは、第一層７２ａと第二層７２ｂとの間に位置する。第一層７２ａ、第二層７２ｂ、第三層７２ｃには、第一コイル７４ａ、第二コイル７４ｂ、第三コイル７４ｃがそれぞれ例えば印刷されることにより設けられている。第一コイル７４ａ、第二コイル７４ｂ、第三コイル７４ｃは、それぞれ一方向（図５では左右方向）に延びた２つの直線部７６ａ―１、７６ａ―２、７６ｂ−１、７６ｂ−２、７６ｃ−１、７６ｃ−２と、左右両側の半円部７８ａ―１、７８ａ―２、７８ｂ−１、７８ｂ−２、７８ｃ−１、７８ｃ−２とを有し、それぞれ１０ターン程度が内側から外側、あるいは外側から内側に巻かれている。
【００３７】
第二コイル７４ｂと第三コイル７４ｃは同形状である一方、第一コイル７４ａは、第二コイル７４ｂ及び第三コイル７４ｃに比較して、一方向の両端でＷだけ長く形成されている。
【００３８】
第一端子部８０ａは、第一コイル７４ａの一方の半円部７８ａ−１の内側に配置され、第一コイル７４ａの内端が接続されている。第二端子部８０ｂは、第二コイル７４ｂの一方の半円部７８ｂ−１の外側に配置され、配線端Ａに接続されている。第一端子部８０ａと第二端子部８０ｂとは、左右方向の位置が一致しており、第一スルーホール部８２ａを介して接続されている。その分（Ｗ）だけ第一コイル７４ａは第二コイル７４ｂよりもこの第一端子部８０ａが形成された側で長い。
【００３９】
第三端子部８０ｃは、第三コイル７４ｃの一方の半円部７８ｃ−１の内側に配置され、第三コイル７４ｃの内端が接続されている。第四端子部８０ｄは、第二コイル７４ｂの一方の半円部７８ｂ−１の内側に配置され、第二コイル７４ｂの内端が接続されている。第三端子部８０ｃと第四端子部８０ｄとは、左右方向の位置が一致しており、第二スルーホール部８２ｂを介して接続されている。すなわち、第三端子部８０ｃと第四端子部８０ｄでは、第三コイル７４ｃと第二コイル７４ｂの内端同士が接続されている。
【００４０】
第五端子部８０ｅは、第一コイル７４ａの他方の半円部７８ａ−２の外側に配置され、第一コイル７４ａの外端が接続されている。第六端子部８０ｆは、第一コイル７４ａに積層方向で隣接する第三コイル７４ｃの他方の半円部７８ｃ−２の外側に配置され、第三コイル７４ｃの外端が接続されている。第五端子部８０ｅと第六端子部８０ｆとは、左右方向の位置が一致しており、第三スルーホール部８２ｃを介して接続されている。すなわち、第五端子部８０ｅと第六端子部８０ｆでは、第一コイル７４ａと第三コイル７４ｃの外端同士が接続されている。
【００４１】
第七端子部８０ｇは、第二コイル７４ｂの一方の半円部７８ｂ−１の外側に配置され、第二コイル７４ｂの外端及び配線端Ｂに接続されている。配線端Ａ及び配線端Ｂには、例えば、コイル７４ａ〜７４ｃに給電する電源が接続されても良いし、後述する実施例に示すような、コイル７４ａ〜７４ｃの外部に形成された他のコイルが接続されても良い。
【００４２】
上記構成において、配線端Ａから第二端子部８０ｂに入った電流は、第一スルーホール部８２ａを介して第一端子部８０ａに流れ、第一コイル７４ａの内側から外側に向けて時計方向に流れる。第一コイル７４ａから第五端子部８０ｅまで流れた電流は、第三スルーホール部８２ｃを介して第六端子部８０ｆに流れ、さらに第三コイル７４ｃの外側から内側に向けて時計方向に流れる。第三コイル７４ｃから第三端子部８０ｃに流れた電流は、第二スルーホール部８２ｂを介して第四端子部８０ｄに流れ、さらに第二コイル７４ｂの内側から外側に向けて時計方向に流れる。そして、第二コイル７４ｂを流れた電流は、第七端子８０ｇを介して配線端Ｂへ出ていく。
【００４３】
図５の矢印で示すように、第一コイル７４ａ、第二コイル７４ｂ、第三コイル７４ｃには、時計方向で一致した電流が流れるので、それぞれのターン数を合計したターン数に対応した推力を移動体７０に作用させることができる。
なお、第一コイル７４ａは、第二コイル７４ｂ及び第三コイル７４ｃに比較して、両端でＷだけ長く形成されているが、これは推力のバランスを保つためであり、第一端子部８０ａと第二端子部８０ｂが形成された一方側のみ長く形成してもよい。
【００４４】
このように本実施形態において、第一コイル７４ａを第二コイル７４ｂよりも長くし、第一コイル７４ａの内側にある第一端子部８０ａと第二コイル７４ｂの外側にある第二端子部８０ｂとを第一スルーホール部８２ａを介して接続するようにしたので、層を奇数とすることができる。
【００４５】
図６に積層コイル６２の第二実施形態が示されている。
積層コイル６２は、第一層７２ａと、この第一層７２ａの下に積層された第二層７２ｂと、この第二層７２ｂの下に積層された第三層７２ｃとを有する。第一層７２ａ、第二層７２ｂ、第三層７２ｃには、第一コイル７４ａ、第二コイル７４ｂ、第三コイル７４ｃがそれぞれ例えば印刷されることにより設けられている。第一コイル７４ａ、第二コイル７４ｂ、第三コイル７４ｃは、それぞれ一方向（図６では左右方向）に延びた２つの直線部７６ａ―１、７６ａ―２、７６ｂ−１、７６ｂ−２、７６ｃ−１、７６ｃ−２と、左側の半円部７８ａ、７８ｂ、７８ｃと、右側の直線状の接続部８４ａ、８４ｂ、８４ｃとを有し、それぞれ１０ターン程度が内側から外側、あるいは外側から内側に巻かれている。
【００４６】
第二コイル７４ｂと第三コイル７４ｃは同形状である一方、第一コイル７４ａは、第二コイル７４ｂ及び第三コイル７４ｃに比較して、第一端子部８０ａと第二端子部８０ｂが設けられた一方向の左端でＷだけ長く形成されている。
【００４７】
第一端子部８０ａは、第一コイル７４ａの半円部７８ａの内側に配置され、第一コイル７４ａの内端が接続されている。第二端子部８０ｂは、第二コイル７４ｂの半円部７８ｂの外側に配置され、配線端Ｂに接続されている。第一端子部８０ａと第二端子部８０ｂとは、左右方向の位置が一致しており、第一スルーホール部８２ａを介して接続されている。
【００４８】
第三端子部８０ｃは、第三コイル７４ｃの半円部７８ｃの内側に配置され、第三コイル７４ｃの内端が接続されている。第四端子部８０ｄは、第二コイル７４ｂの半円部７８ｂの内側に配置され、第二コイル７４ｂの内端が接続されている。第三端子部８０ｃと第四端子部８０ｄとは、左右方向の位置が一致しており、第二スルーホール部８２ｂを介して接続されている。すなわち、第三端子部８０ｃと第四端子部８０ｄでは、第三コイル７４ｃと第二コイル７４ｂの内端同士が接続されている。
【００４９】
第五端子部８０ｅは、第一コイル７４ａの半円部７８ａの外側に配置され、第一コイル７４ａの外端が接続されている。第六端子部８０ｆは、第一コイル７４ａに積層方向で隣接する第二コイル７４ｂの半円部７８ｂの外側に配置され、第二コイル７４ｂの外端が接続されている。第五端子部８０ｅと第六端子部８０ｆとは、左右方向の位置が一致しており、第三スルーホール部８２ｃを介して接続されている。すなわち、第五端子部８０ｅと第六端子部８０ｆでは、第一コイル７４ａと第二コイル７４ｂの外端同士が接続されている。
【００５０】
第七端子部８０ｇは、第三コイル７４ｃの半円部７８の外側に配置され、第三コイル７４ｃの外端及び配線端Ａに接続されている。配線端Ａ及び配線端Ｂには、例えば、コイル７４ａ〜７４ｃに給電する電源が接続されても良いし、後述する実施例に示すような、コイル７４ａ〜７４ｃの外部に形成された他のコイルが接続されても良い。
【００５１】
上記構成において、配線端Ａから第七端子部８０ｇに入った電流は、第三コイル７４ｃの外側から内側に向けて時計方向に流れる。第三コイル７４ｃから第三端子部８０ｃに流れた電流は、第二スルーホール部８２ｂを介して第四端子部８０ｄに流れ、第二コイル７４ｂの内側から外側に向けて時計方向に流れる。第二コイル７４ｂから第六端子部８０ｆまで流れた電流は、第三スルーホール部８２ｃを介して第五端子部８０ｅに流れ、さらに第一コイル７４ａの外側から内側に向けて時計方向に流れる。第一コイル７４ａから第一端子部８０ａに流れた電流は、第一スルーホール部８２ａを介して第二端子部８０ｂに流れ、配線端Ｂへ出ていく。
【００５２】
この実施形態においても、前述した実施形態と同様に、第一コイル７４ａを第一端子部８０ａが形成された側で第二コイル７４ｂよりも長くし、第一コイル７４ａの内側にある第一端子部８０ａと第二コイル７４ｂの外側にある第二端子部８０ｂとを第一スルーホール部８２ａを介して接続するようにしたので、層を奇数とすることができる。
【００５３】
以上の説明から明らかなように、一つの層に形成されたコイルを他の層のコイルよりも長くし、一つの層のコイルの内側に配置した端子部と、他の層のコイルの外側に配置した端子部とをスルーホール部を介して接続することによって奇数層の積層コイルを実現することができる。
【００５４】
図７は、本発明に係る積層コイル６２の実施例を示す。
積層コイル６２には、図中左右に配置されたＡ系列と、上下に配置されたＢ系列とがある。
【００５５】
第一層７２ａには、Ａ系列の第一コイル７４Ａ−ａ−１，２，３とＢ系列の第一コイル７４Ｂ−ａ−１，２，３が配置され、第二層７２ｂには、Ａ系列の第二コイル７４Ａ−ｂ−１，２，３とＢ系列の第二コイル７４Ｂ−ｂ−１，２，３が配置され、第三層７２ｃには、Ａ系列の第三コイル７４Ａ−ｃ−１，２，３とＢ系列の第一コイル７４Ｂ−ｃ−１，２，３が配置されている。
【００５６】
なお、第一コイル７４Ａ−ａ−２と７４Ａ−ａ−３及び７４Ｂ−ａ−２と７４Ｂ−ａ−３とのそれぞれの間、第二コイル７４Ａ−ｂ−２と７４Ａ−ｂ−３及び７４Ｂ−ｂ−２と７４Ｂ−ｂ−３とのそれぞれの間、及び第三コイル７４Ａ−ｃ−２と７４Ａ−ｃ−３及び７４Ｂ−ｃ−２と７４Ｂ−ｃ−３とのそれぞれの間には、ホール素子等の位置検出素子が配置され、コイルの電流の影響を少なくして前述した磁石２０の位置を検出できるようにしてある。
【００５７】
第一コイル７４Ａ−ａ−１，２，３，７４Ｂ−ａ−１，２，３は、第二コイルコイル７４Ａ−ｂ−１，２，３，７４Ｂ−ｂ−１，２，３及び第三コイル７４Ａ−ｃ−１，２，３，７４Ｂ−ｃ−１，２，３よりも一方向の長さが長くなっている。
即ち、第一コイル７４Ａ−ａ−１、第二コイル７４Ａ−ｂ−１、第三コイル７４Ａ−ｃ−１の組と、第一コイル７４Ｂ−ａ−１、第二コイル７４Ｂ−ｂ−１、第三コイル７４Ｂ−ｃ−１の組がそれぞれ前述した第一実施形態に該当し、第一コイル７４Ａ−ａ−２、第二コイル７４Ａ−ｂ−２、第三コイル７４Ａ−ｃ−２の組と、第一コイル７４Ａ−ａ−３、第二コイル７４Ａ−ｂ−３、第三コイル７４Ａ−ｃ−３の組と、第一コイル７４Ｂ−ａ−２、第二コイル７４Ｂ−ｂ−２、第三コイル７４Ｂ−ｃ−２の組と、第一コイル７４Ｂ−ａ−３、第二コイル７４Ｂ−ｂ−３、第三コイル７４Ｂ−ｃ−３の組とがそれぞれ前述した第二実施形態に該当する。
【００５８】
Ａ系列においては、端子部ＡＳから入った電流は、順序に従ってＡ１からＡ１８まで流れ、端子部ＡＥから出ていく。Ｂ系列においては、端子部ＢＳから入った電流は、順序に従ってＢ２６まで流れ、端子部ＢＥから出ていく。Ａ系列に電流が流れると、前述した移動体が図７の左右に動き、Ｂ系列に電流が流れると上下に動く。
【００５９】
ここで、注目されるべきは、端子部Ａ５とＡ６、Ａ７とＡ８及びＡ１３とＡ１４並びに端子部Ｂ９とＢ１０、Ｂ１９とＢ２０及びＢ２１とＢ２２である。これらの端子部は、一つの層におけるコイルの内側と他の層におけるコイルの外側とをスルーホール部を介して接続され、これにより三層からなる積層コイル６２が構成されている。
【００６０】
なお、上記実施形態及び実施例にあっては、積層コイルは三層からなるが、奇数であれば何層であってもよい。また、この明細書では、レンズ駆動装置に用いられる積層コイルについて説明したが、他の装置やデバイスに用いることもできる。
【符号の説明】
【００６１】
１０    レンズ駆動装置
１２    シールドケース
１４    上方ばね部材
１６    磁石ホルダ
１８    ヨーク
２０    磁石
２２    レンズ支持体
２４    光軸方向駆動用コイル
２６    下方ばね部材
２８    支持ワイヤ
３０    プリントコイル基板
３２    配線基板
３４    ベース
６２    積層コイル
７２ａ〜７２ｃ  層
７４ａ〜７４ｃ  コイル
８０ａ〜８０ｇ  端子部
８２ａ〜８２ｃ  スルーホール部
【図１】
0006439213.tif 000002
【図２】
0006439213.tif 000003
【図３】
0006439213.tif 000004
【図４】
0006439213.tif 000005
【図５】
0006439213.tif 000006
【図６】
0006439213.tif 000007
【図７】
0006439213.tif 000008